(57)【要約】【課題】入力部の操作性を向上させる手段を提供する。【解決手段】装置前面に形成された開口部内に設けられ、入力操作を受付ける入力部２と、その開口部内に設けられ、入力部２に光を照射するランプ２３と、入力操作の進行状況に応じてランプ２３の光量を変化させる制御部８とを備えた。【選択図】        図１
2015184924.tif 000002
【特許請求の範囲】
【請求項１】
開口部内に設けられ、入力操作を受付ける入力部と、
前記開口部内に設けられ、前記入力部に光を照射する光源と、
前記入力操作の進行状況に応じて前記光源の光量を変化させる制御部と、
を有することを特徴とする自動取引装置。
【請求項２】
請求項１に記載の自動取引装置において、
前記制御部は、前記入力部で入力操作を受付けるときに前記光源を点灯し、前記入力部で入力操作の受付けを終了すると前記光源を消灯することを特徴とする自動取引装置。
【請求項３】
請求項１に記載の自動取引装置において、
前記制御部は、前記入力部で入力操作を受付けるときに前記光源を点灯し、所定時間経過後、前記光源を消灯することを特徴とする自動取引装置。
【請求項４】
請求項１に記載の自動取引装置において、
前記制御部は、前記入力部で入力操作を受付けるときに前記光源を点灯し、前記入力部で最初の入力操作を受付けると前記光源を消灯することを特徴とする自動取引装置。
【請求項５】
請求項１に記載の自動取引装置において、
前記制御部は、前記入力部で入力操作を受付けるときに前記光源を点灯し、前記入力部で最初の入力操作を受付けると前記光源の光量を変化させることを特徴とする自動取引装置。
【請求項６】
請求項１から請求項５のいずれかに記載の自動取引装置において、
前記入力操作は、暗証番号または金額の入力操作であることを特徴とする自動取引装置。
【請求項７】
請求項１から請求項６のいずれかに記載の自動取引装置において、
前記制御部は、前記入力部で入力操作の受付けを開始するとき、前記光源を点灯させることを特徴とする自動取引装置。
【請求項８】
請求項１から請求項６のいずれかに記載の自動取引装置において、
前記制御部は、前記入力部で入力操作の受付けを開始してから所定時間が経過しても入力操作を検知しないとき、前記光源を点灯させることを特徴とする自動取引装置。
【請求項９】
請求項８に記載の自動取引装置において、
前記制御部は、前記入力部で受付ける入力操作の間隔が所定時間を超えたとき、前記光源を点灯させることを特徴とする自動取引装置。
【請求項１０】
請求項１から請求項６のいずれかに記載の自動取引装置において、
前記制御部は、取引が選択されたとき、前記光源を点灯させることを特徴とする自動取引装置。
【請求項１１】
請求項１から請求項６のいずれかに記載の自動取引装置において、
前記制御部は、前記入力部で入力操作を受付ける取引が選択されたとき、前記光源を点灯させることを特徴とする自動取引装置。
【請求項１２】
請求項１から請求項１０のいずれかに記載の自動取引装置において、
前記制御部は、前記光源を点灯させることに代えて前記光源を点滅させることを特徴とする自動取引装置。
【請求項１３】
請求項１から請求項１２のいずれかに記載の自動取引装置において、
前記開口部は、装置前面に形成されていることを特徴とする自動取引装置。
【発明の詳細な説明】
【技術分野】
【０００１】
本発明は、キー入力操作を受付ける入力部を有する自動取引装置に関する。
【背景技術】
【０００２】
従来の自動取引装置は、顧客の操作を誘導する画面を表示する表示部と、顧客のキー入力操作を受付ける入力部とを別個に設け、その入力部で暗証番号や金額の入力を受付けるようにしている（例えば、特許文献１参照）。
【先行技術文献】
【特許文献】
【０００３】
【特許文献１】特開２００８−２８７６４６号公報
【発明の概要】
【発明が解決しようとする課題】
【０００４】
しかしながら、従来の技術においては、自動取引装置の入力部の位置が製造会社毎に異なり、また入力部での入力が可能なときが分かり難く、良好な操作性が十分に確保されていないという問題がある。
本発明は、このような問題を解決することを課題とし、入力部の操作性を向上させることを目的とする。
【課題を解決するための手段】
【０００５】
そのため、本発明は、開口部内に設けられ、入力操作を受付ける入力部と、前記開口部内に設けられ、前記入力部に光を照射する光源と、前記入力操作の進行状況に応じて前記光源の光量を変化させる制御部と、を有することを特徴とする。
【発明の効果】
【０００６】
このようにした本発明は、入力部の操作性を向上させることができるという効果が得られる。
【図面の簡単な説明】
【０００７】
【図１】第１の実施例における入力部および表示部の制御構成を示すブロック図
【図２】第１の実施例における自動取引装置の外観斜視図
【図３】第１の実施例における入力部の概略断面図
【図４】第１の実施例における取引処理の流れを示すフローチャート
【図５】第２の実施例における取引処理の流れを示すフローチャート
【図６】第３の実施例における取引処理の流れを示すフローチャート
【図７】第３の実施例における暗証番号入力処理の流れを示すフローチャート
【図８】第３の実施例における金額入力処理の流れを示すフローチャート
【図９】第４の実施例における入力部および表示部の制御構成を示すブロック図
【図１０】第４の実施例における取引処理の流れを示すフローチャート
【図１１】第４の実施例における暗証番号入力処理の流れを示すフローチャート
【図１２】第４の実施例における金額入力処理の流れを示すフローチャート
【図１３】第５の実施例におけるランプ点灯処理の流れを示すフローチャート
【図１４】変形例におけるランプ点灯処理の流れを示すフローチャート
【図１５】変形例におけるランプ点灯処理の流れを示すフローチャート
【図１６】第６の実施例におけるランプ点灯処理の流れを示すフローチャート
【発明を実施するための形態】
【０００８】
以下、図面を参照して本発明による自動取引装置の実施例を説明する。
【実施例１】
【０００９】
図２は第１の実施例における自動取引装置の外観斜視図である。
図２において、自動取引装置１は、例えば銀行等の金融機関の店舗、駅や空港またはコンビニエンスストア等に設置され、顧客の操作を受付けて現金の預入れや支払、乗車券、航空券、または入場券等の各種チケットの発行等を行うものである。なお、本実施例では、自動取引装置１を、顧客の操作を受付けて現金の預入れや支払等の取引を行う現金自動預払機として説明する。
【００１０】
自動取引装置１は、筐体としての装置本体の前面に、顧客の入力操作を受付けるためのテンキー等の入力部２と、顧客の口座を識別するための口座識別情報等が記録されたカードを挿入および排出するカード挿入受取口３と、顧客操作により行った現金の預入れや支払の取引内容を印刷した明細票を排出する明細票受取口４と、現金の預入れ取引において現金の投入を受付け、また現金の支払取引において現金を受け渡す紙幣投入受取口５と、タッチパネル式ディスプレイ等の表示部６とを備えている。
【００１１】
入力部２は、自動取引装置１の開口部の内部に設けられており、自動取引装置１で取引を行う顧客の入力操作を第三者に見られ難くしている。本実施例では、入力部２は、自動取引装置１の前面に形成された開口部の内部に設けられている。なお、入力部２は、顧客の手指が挿入できる開口内に設けられているものであれば、自動取引装置１の前面に形成された開口部に限らず、カバーや衝立等の入力部２を覆う部材で形成された開口部内に設けられたものであっても良い。
【００１２】
図３は第１の実施例における入力部の概略断面図である。
図３において、入力部２は、数字キー、確認キーおよび訂正キー等で構成されたテンキー２１と、テンキー２１に実装されたキートップ２２と、キートップ２２の上面を照らすランプ２３と、ランプ２３が発する光を拡散する半透明のレンズ２４とにより構成されている。
光源としてのランプ２３は、自動取引装置の前面に形成された開口部内に設けられ、テンキー２１に光を照射するものである。本実施例では、ランプ２３は、開口部内のテンキー２１の上部に設けられている。なお、ランプ２３は、テンキー２１の上部に限られることなく、開口部内の奥部の壁や左右の側部の壁に設けられていても良い。
【００１３】
図１は第１の実施例における入力部および表示部の制御構成を示すブロック図である。
図１において、入力部２は、キートップ２２を有するテンキー２１と、ランプ２３とにより構成されている。
制御部８は、ＣＰＵ（Ｃｅｎｔｒａｌ  Ｐｒｏｃｅｓｓｉｎｇ  Ｕｎｉｔ）等の制御手段およびメモリ等の記憶手段により構成され、入力部２のテンキー２１およびランプ駆動部９、並びに表示部６と接続されている。この制御部８は、記憶手段に記憶された制御プログラム（ソフトウェア）に基づいて入力部２および表示部６を含め自動取引装置全体の動作を制御する。また、制御部８は、タイマ等の計時手段を備えている。
【００１４】
ランプ駆動部９は、制御部８から制御信号に基づいてランプ２３を駆動し、ランプ２３の光量を変化させるものであり、例えばランプ２３の点灯、消灯または点滅を行うものである。
テンキー２１は、制御部８の制御信号に基づいて顧客の操作により押下されたことを検知し、押下されたキーの識別情報等を制御部８に通知するものである。
制御部８は、自動取引装置を操作する顧客の入力部２における入力操作の進行状況に応じてランプ２３の光量を変化させる制御を行う。
【００１５】
上述した構成の作用について説明する。
自動取引装置が行う取引処理を図４の第１の実施例における取引処理の流れを示すフローチャートの図中Ｓで表すステップに従って図１、図２、図３を参照しながら説明する。
Ｓ１０１：自動取引装置１の制御部８は、取引を選択するための取引選択画面を表示部６に表示し、本実施例では、顧客の操作を表示部６のタッチパネルで受付け、出金取引が選択されるものとする。
【００１６】
Ｓ１０２：顧客の操作によりカードがカード挿入受取口３から挿入され、制御部は挿入されたカードを装置内に引き込む。
Ｓ１０３：カードを装置内に引き込んだ制御部８は、表示部６に暗証番号の入力を誘導する画面を表示する。
Ｓ１０４：暗証番号の入力を誘導する画面を表示した制御部８は、ランプ駆動部９にランプ２３を点灯または点滅する指示を出力し、ランプ駆動部９はランプ２３を点灯または点滅させ、顧客に暗証番号の入力を促す。このように、制御部８は、入力部２のテンキー２１で入力操作の受付けを開始するとき、ランプ２３を点灯させる。
【００１７】
Ｓ１０５：入力部２のテンキー２１が顧客の操作により押下されて暗証番号が入力されると、制御部８は、暗証番号の入力を検知する。
Ｓ１０６：制御部８は、暗証番号の全桁の入力を検知すると、ランプ駆動部９にランプ２３を消灯する指示を出力し、ランプ駆動部９はランプ２３を消灯させる。
Ｓ１０７：次に、制御部８は、表示部６に支払金額の入力を誘導する画面を表示する。
Ｓ１０８：支払金額の入力を誘導する画面を表示した制御部８は、ランプ駆動部９にランプ２３を点灯する指示を出力し、ランプ駆動部９はランプ２３を点灯させ、顧客に支払金額の入力を促す。
【００１８】
Ｓ１０９：入力部２のテンキー２１が顧客の操作により押下されて支払金額が入力されると、制御部８は、支払金額の入力を検知する。
Ｓ１１０：制御部８は、支払金額の入力の終了を検知すると、ランプ駆動部９にランプ２３を消灯する指示を出力し、ランプ駆動部９はランプ２３を消灯させる。
Ｓ１１１：制御部８は、入力された支払金額に相当する現金を計数する。
Ｓ１１２：制御部８は、計数した現金を紙幣投入受取口５から顧客に受け渡し、また取引内容を印刷した明細票を明細票受取口４から排出するとともに、カードをカード挿入受取口３から排出し、明細票およびカードを顧客に受け渡して本取引処理を終了する。
【００１９】
このように、本実施例では、制御部８は、入力部２のテンキー２１で入力操作（例えば、暗証番号の入力操作または金額の入力操作、もしくは暗証番号および金額の入力操作）を受付けるときにランプ２３を点灯し、入力部２のテンキー２１で入力操作の受付けを終了するとランプ２３を消灯する。
また、変形例として、ランプ２３の消灯条件を「次の操作でテンキー２１の操作が必要ない場合」としても良い。例えば、暗証番号入力に続いて金額入力を行い、金額入力の後はテンキー２１の操作を必要としない場合、Ｓ１０３においてランプ２３の点灯を行った後、Ｓ１０６においてランプ２３の消灯およびＳ１０８においてランプ２３の点灯を行わないでＳ１０３からＳ１０９までの間はランプ２３を点灯させたままとし、以降の操作でテンキー２１の操作が必要なくなるＳ１１０でランプ２３の消灯を行う。
【００２０】
このように、自動取引装置１の制御部８は、入力部２のテンキー２１で顧客の入力操作を受付けるとき、テンキー２１を照射するランプ２３を点灯させるようにしたことにより、顧客は容易にテンキー２１の位置および操作タイミングを視認することができ、入力部２を操作する顧客の操作性を向上させることができる。
以上説明したように、第１の実施例では、入力部のテンキーで顧客の入力操作を受付けるとき、テンキーを照射するランプを点灯させるようにしたことにより、入力部を操作する顧客の操作性を向上させることができるという効果が得られる。
【実施例２】
【００２１】
第２の実施例の構成は、第１の実施例の構成と同様なので同一の符号を付してその説明を省略する。
第２の実施例では、入力部のランプを点灯した後、所定の時間（例えば、１秒）が経過したとき、ランプを消灯するようにしている。
その第２の実施例の作用について説明する。
自動取引装置が行う取引処理を図５の第２の実施例における取引処理の流れを示すフローチャートの図中Ｓで表すステップに従って図１、図２、図３を参照しながら説明する。
【００２２】
Ｓ２０１〜Ｓ２０４：図４におけるＳ１０１〜Ｓ１０４と同様の処理なのでその説明を省略する。
Ｓ２０５：制御部８は、１秒間経過するまで待機する。
Ｓ２０６：制御部８は、１秒間経過したことを検知すると、ランプ駆動部９にランプ２３を消灯する指示を出力し、ランプ駆動部９はランプ２３を消灯させる。
Ｓ２０７：入力部２のテンキー２１が顧客の操作により押下されて暗証番号が入力されると、制御部８は、暗証番号の入力を検知する。
【００２３】
Ｓ２０８：制御部８は、暗証番号の全桁の入力を検知すると、表示部６に支払金額の入力を誘導する画面を表示する。
Ｓ２０９：支払金額の入力を誘導する画面を表示した制御部８は、ランプ駆動部９にランプ２３を点灯する指示を出力し、ランプ駆動部９はランプ２３を点灯させ、顧客に支払金額の入力を促す。
Ｓ２１０：制御部８は、１秒間経過するまで待機する。
Ｓ２１１：制御部８は、１秒間経過したことを検知すると、ランプ駆動部９にランプ２３を消灯する指示を出力し、ランプ駆動部９はランプ２３を消灯させる。
【００２４】
Ｓ２１２：入力部２のテンキー２１が顧客の操作により押下されて支払金額が入力されると、制御部８は、支払金額の入力を検知する。
Ｓ２１３、Ｓ２１４：図４におけるＳ１１１、Ｓ１１２と同様の処理なのでその説明を省略する。
なお、制御部８は、暗証番号の入力または金額の入力の受付けを開始してから完了するまでの間に、テンキー２１の訂正キーが押下された場合、ランプ２３を点灯（消灯している場合は再び点灯）し、それぞれの入力が完了するまで点灯し続けるようにしても良い。
【００２５】
このように、自動取引装置１の制御部８は、入力部２のテンキー２１で顧客の入力操作を受付けるとき、テンキー２１を照射するランプ２３を点灯させた後、所定の時間が経過するとランプ２３を消灯させるようにしたことにより、第三者により入力内容を盗み見られることを防止することができる。
以上説明したように、第２の実施例では、第１の実施例の効果に加え、入力部のテンキーで顧客の入力操作を受付けるとき、テンキーを照射するランプを点灯させた後、所定の時間が経過するとランプを消灯するようにしたことにより、第三者により入力内容を盗み見られることを防止することができるという効果が得られる。
【実施例３】
【００２６】
第３の実施例の構成は、第１の実施例の構成と同様なので同一の符号を付してその説明を省略する。
第３の実施例では、入力部のランプを点灯した後、最初の入力操作を検知したとき、ランプを消灯するようにしている。
その第３の実施例の作用について説明する。
自動取引装置が行う取引処理を図６の第３の実施例における取引処理の流れを示すフローチャートの図中Ｓで表すステップに従って図１、図２、図３を参照しながら説明する。
【００２７】
Ｓ３０１〜Ｓ３０４：図４におけるＳ１０１〜Ｓ１０４と同様の処理なのでその説明を省略する。
Ｓ３０５：制御部８は、暗証番号の入力操作を入力部２で受付ける暗証番号入力処理を行う。
この暗証番号入力処理を図７の第３の実施例における暗証番号入力処理の流れを示すフローチャートの図中Ｓで表すステップに従って図１、図２、図３を参照しながら説明する。
【００２８】
Ｓ３１１：入力部２のテンキー２１が顧客の操作により押下されて１桁目の暗証番号が入力されると、制御部８は、１桁目の暗証番号の入力を検知する。
Ｓ３１２：制御部８は、１桁目の暗証番号の入力を検知すると、ランプ駆動部９にランプ２３を消灯する指示を出力し、ランプ駆動部９はランプ２３を消灯させる。
Ｓ３１３〜Ｓ３１５：続いて、入力部２のテンキー２１が顧客の操作により押下されて２桁目から４桁目の暗証番号が入力されると、制御部８は、２桁目から４桁目の暗証番号の入力を検知する。
【００２９】
図６の説明に戻る。
Ｓ３０６：制御部８は、暗証番号の全桁の入力を検知すると、表示部６に支払金額の入力を誘導する画面を表示する。
Ｓ３０７：支払金額の入力を誘導する画面を表示した制御部８は、ランプ駆動部９にランプ２３を点灯する指示を出力し、ランプ駆動部９はランプ２３を点灯させ、顧客に支払金額の入力を促す。
Ｓ３０８：制御部８は、支払金額の入力操作を入力部２で受付ける金額入力処理を行う。
【００３０】
この金額入力処理を図８の第３の実施例における金額入力処理の流れを示すフローチャートの図中Ｓで表すステップに従って図１、図２、図３を参照しながら説明する。
Ｓ３２１：入力部２のテンキー２１が顧客の操作により押下されて１桁目の金額が入力されると、制御部８は、１桁目の金額の入力を検知する。
Ｓ３２２：制御部８は、１桁目の金額の入力を検知すると、ランプ駆動部９にランプ２３を消灯する指示を出力し、ランプ駆動部９はランプ２３を消灯させる。
Ｓ３２３〜Ｓ３２６：続いて、入力部２のテンキー２１が顧客の操作により押下されて２桁目以降の金額および確認キーが入力されると、制御部８は、金額の入力を検知する。
【００３１】
図６の説明に戻る。
Ｓ３０９、Ｓ３１０：図４におけるＳ１１１、Ｓ１１２と同様の処理なのでその説明を省略する。
このように、制御部８は、入力部２のテンキー２１で入力操作を受付けるときにランプ２３を点灯し、入力部２のテンキー２１で最初の入力操作を受付けるとランプ２３を消灯する。
なお、制御部８は、暗証番号の入力または金額の入力の受付けを開始してから完了するまでの間に、テンキー２１の訂正キーが押下された場合、ランプ２３を点灯（消灯している場合は再び点灯）し、それぞれの入力が完了するまで点灯し続けるようにしても良い。
【００３２】
以上説明したように、第３の実施例では、第１の実施例の効果に加え、入力部のテンキーで顧客の入力操作を受付けるとき、テンキーを照射するランプを点灯させた後、最初の入力操作を受付けたときにランプを消灯するようにしたことにより、顧客はテンキーの位置を容易に確認することができ、円滑に入力操作を開始することができるという効果が得られる。
また、最初の入力操作を受付けるとランプを消灯するようにしたことにより、第三者により入力内容を盗み見られることを防止することができるという効果が得られる。
【実施例４】
【００３３】
第４の実施例の構成は、第１の実施例の構成におけるランプ駆動部に発光電流切替部を追加したものとしている。
その第４の実施例の構成を図９の第４の実施例における入力部および表示部の制御構成を示すブロック図に基づいて説明する。なお、上述した第１の実施例と同様の部分は、同一の符号を付してその説明を省略する。
ランプ駆動部９は、制御部８から制御信号に基づいてランプ２３を駆動し、ランプ２３の光量を変化させるもの（例えばランプ２３の点灯または消灯、および照度の切替えを行うもの）であり、発光電流切替部９１を備えている。
【００３４】
発光電流切替部９１は、発光電流を切替えてランプ２３の光度の高低（明暗）を切替えるものである。従って、制御部８がランプ駆動部９の発光電流切替部９１を制御することにより、ランプ２３の光度を通常の光度（明）と通常の光度より低い（暗）に切替えてテンキー２１に対する照度を通常の照度（明）と通常の照度より低い（暗）に切替えることができるようになっている。
本実施例では、入力部のランプ２３を点灯（照度は明）した後、最初の入力操作を検知したとき、ランプ２３の光度を明から暗に切替えて低下させるようにしている。
【００３５】
上述した構成の作用について説明する。
自動取引装置が行う取引処理を図１０の第４の実施例における取引処理の流れを示すフローチャートの図中Ｓで表すステップに従って図９、図２、図３を参照しながら説明する。
Ｓ４０１〜Ｓ４０４：図４におけるＳ１０１〜Ｓ１０４と同様の処理なのでその説明を省略する。
Ｓ４０５：制御部８は、暗証番号の入力操作を入力部２で受付ける暗証番号入力処理を行う。
この暗証番号入力処理を図１１の第４の実施例における暗証番号入力処理の流れを示すフローチャートの図中Ｓで表すステップに従って図９、図２、図３を参照しながら説明する。
【００３６】
Ｓ４２１：入力部２のテンキー２１が顧客の操作により押下されて１桁目の暗証番号が入力されると、制御部８は、１桁目の暗証番号の入力を検知する。
Ｓ４２２：制御部８は、１桁目の暗証番号の入力を検知すると、ランプ駆動部９にランプ２３の照度を暗にする指示を出力し、ランプ駆動部９はランプ２３の光度を明から暗に切替えて入力部２のテンキー２１に対する照度を低下させる。
Ｓ４２３〜Ｓ４２５：続いて、入力部２のテンキー２１が顧客の操作により押下されて２桁目から４桁目の暗証番号が入力されると、制御部８は、２桁目から４桁目の暗証番号の入力を検知する。
【００３７】
図１０の説明に戻る。
Ｓ４０６：制御部８は、暗証番号の全桁の入力を検知すると、ランプ駆動部９にランプ２３を消灯する指示を出力し、ランプ駆動部９はランプ２３を消灯させる。
Ｓ４０７：制御部８は、表示部６に支払金額の入力を誘導する画面を表示する。
Ｓ４０８：支払金額の入力を誘導する画面を表示した制御部８は、ランプ駆動部９にランプ２３を点灯する指示を出力し、ランプ駆動部９はランプ２３を点灯させ、顧客に支払金額の入力を促す。
Ｓ４０９：制御部８は、支払金額の入力操作を入力部２で受付ける金額入力処理を行う。
【００３８】
この金額入力処理を図１２の第４の実施例における金額入力処理の流れを示すフローチャートの図中Ｓで表すステップに従って図９、図２、図３を参照しながら説明する。
Ｓ４３１：入力部２のテンキー２１が顧客の操作により押下されて１桁目の金額が入力されると、制御部８は、１桁目の金額の入力を検知する。
Ｓ４３２：制御部８は、１桁目の金額の入力を検知すると、ランプ駆動部９にランプ２３の照度を暗にする指示を出力し、ランプ駆動部９はランプ２３の光度を明から暗に切替えて入力部２のテンキー２１に対する照度を低下させる。
Ｓ４３３〜Ｓ４３６：続いて、入力部２のテンキー２１が顧客の操作により押下されて２桁目以降の金額および確認キーが入力されると、制御部８は、金額の入力を検知する。
【００３９】
図１０の説明に戻る。
Ｓ４１０：制御部８は、金額の全桁の入力を検知すると、ランプ駆動部９にランプ２３を消灯する指示を出力し、ランプ駆動部９はランプ２３を消灯させる。
Ｓ４１１、Ｓ４１２：図４におけるＳ１１１、Ｓ１１２と同様の処理なのでその説明を省略する。
このように、制御部８は、入力部２のテンキー２１で入力操作を受付けるときにランプ２３を点灯し、入力部２のテンキー２１で最初の入力操作を受付けるとランプ２３の光量を変化させる。
【００４０】
なお、制御部８は、暗証番号の入力または金額の入力の受付けを開始してから完了するまでの間に、テンキー２１の訂正キーが押下された場合、ランプ２３を点灯（照度を低下させている場合は再び照度を高くして点灯）し、それぞれの入力が完了するまで照度を低下させることなく点灯し続けるようにしても良い。
以上説明したように、第４の実施例では、第３の実施例の効果に加え、入力部のテンキーで顧客の入力操作を受付けるとき、テンキーを照射するランプを点灯させた後、最初の入力操作を受付けたときにランプの照度を低下させるようにしたことにより、入力操作中であってもテンキーの位置を容易に確認することができるという効果が得られる。
【実施例５】
【００４１】
第５の実施例の構成は、第１の実施例の構成と同様なので同一の符号を付してその説明を省略する。
第５の実施例では、第１の実施例から第４の実施例に対してランプ点灯処理を変更していている。
その第５の実施例のランプ点灯処理について説明する。
自動取引装置が行うランプ点灯処理を図１３の第５の実施例におけるランプ点灯処理の流れを示すフローチャートの図中Ｓで表すステップに従って図１、図２、図３を参照しながら説明する。
【００４２】
Ｓ５０１：自動取引装置１の制御部８は、取引を選択するための取引選択画面を表示部６に表示し、本実施例では、顧客の操作を表示部６のタッチパネルで受付け、出金取引が選択されるものとする。
Ｓ５０２：顧客の操作によりカードがカード挿入受取口３から挿入され、制御部は挿入されたカードを装置内に引き込む。
Ｓ５０３：カードを装置内に引き込んだ制御部８は、表示部６に暗証番号の入力を誘導する画面を表示する。
Ｓ５０４：暗証番号の入力を誘導する画面を表示した制御部８は、テンキー２１が押下されるまでの所定時間（例えば、５秒）の経過を監視するためのタイマを起動し、時間監視を開始する。
【００４３】
Ｓ５０５：制御部８は、入力部２のテンキー２１が顧客の操作により押下されて１桁目の暗証番号の入力の有無を判定し、１桁目の暗証番号の入力があったと判定すると処理をＳ５０８へ移行し、１桁目の暗証番号の入力が未だないと判定すると処理をＳ５０６へ移行する。
Ｓ５０６：１桁目の暗証番号の入力が未だないと判定した制御部８は、所定時間が経過したか否かを判定し、所定時間が経過したと判定すると処理をＳ５０７へ移行し、所定時間が経過していないと判定すると監視を継続して行うため処理をＳ５０５へ移行する。
【００４４】
Ｓ５０７：所定時間が経過したと判定した制御部８は、ランプ駆動部９にランプ２３を点灯または点滅する指示を出力し、ランプ駆動部９はランプ２３を点灯または点滅させ、顧客に暗証番号の入力を促し、処理をＳ５０５へ移行する。なお、制御部８は、タイマを停止させるものとする。
Ｓ５０８：Ｓ５０５において、１桁目の暗証番号の入力があったと判定した制御部８は、時間監視を終了する。
Ｓ５０９：制御部８は、継続して２桁目から４桁目の暗証願号の入力を検知する。
【００４５】
このように、本実施例では、暗証番号の入力を誘導する画面を表示してから所定の時間が経過してもテンキー２１による最初の入力操作が行われない場合、ランプ２３を点灯させ、所定時間内にテンキー２１による最初の入力操作が行われた場合はランプ２３の点灯を行わないようにしている。
また、図１４に示すように、Ｓ５０１ａにおいて自動取引装置１の制御部８は、取引を選択するための取引選択画面を表示部６に表示し、取引の選択が行われた後、Ｓ５０３ａにおいてカードが挿入される前に、Ｓ５０２ａにおいて、ランプ駆動部９にランプ２３を点灯する指示を出力し、ランプ駆動部９はランプ２３を点灯させ、顧客にテンキー入力場所を示すようにしても良い。
【００４６】
さらに、図１５に示すように、Ｓ５０１ｂにおいて、自動取引装置１の制御部８は、取引を選択するための取引選択画面を表示部６に表示し、取引の選択が行われた後、Ｓ５０２ｂにおいて選択された取引がテンキー２１を使用する取引か否かを判定し、テンキー２１を使用する取引（入力部２で入力操作を受付ける取引）であると判定したとき、Ｓ５０３ｂにおいてランプ駆動部９にランプ２３を点灯する指示を出力し、ランプ駆動部９はランプ２３を点灯させ、テンキー入力場所を示し、テンキー２１を使用しない取引（例えば、入金取引等）であると判定したとき、ランプ２３を点灯させないようにしても良い。
【００４７】
なお、本実施例では暗証番号入力時のランプ点灯処理を説明したが、金額入力時も同様のランプ点灯処理としても良い。また、ランプ２３の消灯は、訂正キーが押下された場合を含め上述した第１の実施例から第４の実施例と同様とする。
以上説明したように、第５の実施例では、第１の実施例から第４の実施例の効果に加え、暗証番号の入力を誘導する画面を表示してから所定の時間が経過しても入力部のテンキーによる最初の入力操作が行われない場合、ランプを点灯させるようにしたことにより、入力操作に不慣れな顧客に対してテンキーの位置を視認させることができるようになるという効果が得られる。
【実施例６】
【００４８】
第６の実施例の構成は、第１の実施例の構成と同様なので同一の符号を付してその説明を省略する。
第６の実施例では、第１の実施例から第５の実施例に対してランプ点灯処理を更に変更し、入力操作の間隔が所定時間以上となった場合にランプを点灯するようにしている。
その第６の実施例のランプ点灯処理について説明する。
自動取引装置が行うランプ点灯処理を図１６の第６の実施例におけるランプ点灯処理の流れを示すフローチャートの図中Ｓで表すステップに従って図１、図２、図３を参照しながら説明する。
【００４９】
Ｓ６０１〜Ｓ６０３：図４におけるＳ１０１〜Ｓ１０３と同様の処理なのでその説明を省略する。
Ｓ６０４：暗証番号の入力を誘導する画面を表示した制御部８は、テンキー２１が押下されるまでの所定時間（例えば、５秒）の経過を監視するためのタイマを起動し、時間監視を開始する。
Ｓ６０５：制御部８は、所定時間が経過したか否かを判定し、所定時間が経過したと判定すると処理をＳ６０６へ移行し、所定時間が経過していないと判定すると監視を継続して行うため処理をＳ６０７へ移行する。
【００５０】
Ｓ６０６：所定時間が経過したと判定した制御部８は、ランプ駆動部９にランプ２３を点灯または点滅する指示を出力し、ランプ駆動部９はランプ２３を点灯または点滅させ、顧客に暗証番号の入力を促す。
Ｓ６０７：制御部８は、入力部２のテンキー２１が顧客の操作により押下されて暗証番号の入力、すなわちテンキー２１の入力の有無を判定し、暗証番号の入力があったと判定すると処理をＳ６０８へ移行し、暗証番号の入力が未だないと判定すると処理をＳ６０５へ移行する。
【００５１】
Ｓ６０８：暗証番号の入力があったと判定した制御部８は、暗証番号の入力、すなわちテンキー２１の入力が終了したか否かを判定し、終了したと判定すると処理Ｓ６０９へ移行し、まだ終了していないと判定すると処理をＳ６０４へ移行する。
Ｓ６０９：暗証番号の入力が終了したと判定した制御部８は、時間監視を終了する。
このように、本実施例では、テンキー２１による入力操作を行っているとき、入力操作の間隔が所定時間以上となった場合にランプを点灯するようにし、入力操作に不慣れな顧客に対してテンキーの位置を視認させることができるようにしている。
【００５２】
なお、ランプ２３の消灯は、第１の実施例と同様に、Ｓ６０８においてテンキー２１の入力が終了したときに行うようにしても良く、また第２の実施例と同様に、ランプ２３の点灯後、所定時間が経過したときに行うようにしても良く、さらに第３の実施例と同様に、最初のテンキー２１の入力を検知したときに行うようにしても良い。また、第４の実施例と同様に、最初のテンキー２１の入力を検知したときにランプ２３の照度を低下させるようにしても良い。さらに、訂正キーが押下された場合も第１の実施例から第４の実施例と同様にしても良い。
また、ランプ２３の点灯は、暗証番号の入力操作が所定時間内に完了しないことにより、カードを返却する前に行うものとする。
さらに、本実施例では暗証番号入力時のランプ点灯処理を説明したが、金額入力時も同様のランプ点灯処理としても良い。
【００５３】
以上説明したように、第６の実施例では、第１の実施例から第４の実施例の効果に加え、入力部のテンキーによる入力操作を行っているとき、入力操作の間隔が所定時間以上となった場合にランプを点灯することにより、入力操作に不慣れな顧客に対してテンキーの位置を視認させることができるようになるという効果が得られる。
なお、第１の実施例から第６の実施例では、自動取引装置を現金自動預払機として説明したが、それに限られることなく、乗車券や航空券等を発券する自動券売機や発券機、または入場券等の各種チケットの発行等を行う多機能端末装置等としても良い。
【符号の説明】
【００５４】
１    自動取引装置
２    入力部
３    カード挿入受取口
４    明細票受取口
５    紙幣投入受取口
６    表示部
８    制御部
９    ランプ駆動部
２１  テンキー
２２  キートップ
２３  ランプ
２４  レンズ
９１  発光電流切替部
【図１】
2015184924.tif 000003
【図２】
2015184924.tif 000004
【図３】
2015184924.tif 000005
【図４】
2015184924.tif 000006
【図５】
2015184924.tif 000007
【図６】
2015184924.tif 000008
【図７】
2015184924.tif 000009
【図８】
2015184924.tif 000010
【図９】
2015184924.tif 000011
【図１０】
2015184924.tif 000012
【図１１】
2015184924.tif 000013
【図１２】
2015184924.tif 000014
【図１３】
2015184924.tif 000015
【図１４】
2015184924.tif 000016
【図１５】
2015184924.tif 000017
【図１６】
2015184924.tif 000018